(57)【特許請求の範囲】
【請求項１】
動力伝達用のプロペラシャフト及びジョイント機構を覆う状態で前記ジョイント機構の外周に回転自在に設けられた保護カバーと、前記プロペラシャフト及びジョイント機構が動力伝達のために連結される機械本体側の部材と前記保護カバーとに鎖の各端部をそれぞれ連結してなる回転防止手段とを有するプロペラシャフトの保護カバー装置において、前記回転防止手段の鎖の複数リングのうち、保護カバーへの取付け側端部のリングを２個の半円弧部分を対向させて形成し、この２個の半円弧部分の対向端部の一端側をリング円周方向に回転自在にピンで連結するとともに、上記対向端部の他端側をしめしろ嵌合とし、このしめしろ力を鎖の他のリングの切断荷重および保護カバー破損荷重よりも小さく設定したことを特徴とするプロペラシャフトの保護カバー装置。
【請求項２】
上記２個の半円弧部分のしめしろ嵌合が、互いの嵌合対向面にそれぞれ形成された凹凸部の嵌合からなることを特徴とする請求項１に記載のプロペラシャフトの保護カバー装置。
【発明の詳細な説明】
【０００１】
【発明の属する技術分野】
この発明は、農耕用作業機械等においてトルク伝達手段として使用されるプロペラシャフトの保護カバー装置に関する。
【０００２】
【従来の技術】
従来、例えば農耕用作業機械は、トラクタに作業機をプロペラシャフト及びジョイント機構で連結し動力を伝達するようにされている。すなわち、このような動力伝達機構においては、トラクタには動力を取り出す出力軸を、作業機には入力軸を設けて動力を作業機に伝達している。また、上記プロペラシャフト及びジョイント機構が露出していると危険なため、安全性を確保する目的でプロペラシャフトの保護カバー装置が設けられている。そしてこのプロペラシャフトの保護カバーは、プロペラシャフト上に軸受を介して装着されており、上記保護カバーがプロペラシャフトの回転による慣性の作用で回転するのを防止するため、例えば特開平１１−１５３１４９号公報に記載されているように、保護カバーとプロペラシャフトで連結される機械本体に係止部を設け鎖の両端部が連結された回転防止手段がある。この回転防止手段により保護カバーは回転しないがプロペラシャフトは保護カバー内で回転することになる。
【０００３】
【発明が解決しようとする課題】
上記の従来の保護カバーとして通常樹脂製カバーが使用されているが、プロペラシャフトの回転に伴い保護カバーが回転しようとしたとき、回転防止手段の鎖にて回転が防止されるが、保護カバーの回転不良発生時等に鎖に過大入力が万一伝達された場合、樹脂製保護カバーの引っ張り強度が小さいため、保護カバーが破損することがある。そこで、従来は、保護カバーの回転防止手段の鎖の中間の鎖リングが切断するようにする等考慮される場合がある。しかし、この場合、保護カバーに連結された鎖が保護カバーとともに触れ回ることになり危険である。
【０００４】
そこで、この発明は、保護カバーの回転防止手段の鎖が切断しても危険がないプロペラシャフトの保護カバー装置を提供することを目的とする。
【０００５】
【課題を解決するための手段】
上記課題を解決するための手段として、請求項１の発明は、動力伝達用のプロペラシャフト及びジョイント機構を覆う状態で前記ジョイント機構の外周に回転自在に設けられた保護カバーと、前記プロペラシャフト及びジョイント機構が動力伝達のために連結される機械本体側の部材と前記保護カバーとに鎖の各端部をそれぞれ連結してなる回転防止手段とを有するプロペラシャフトの保護カバー装置において、前記回転防止手段の鎖の複数リングのうち、保護カバーへの取付け側端部のリングを２個の半円弧部分を対向させて形成し、この２個の半円弧部分の対向端部の一端側をリング円周方向に回転自在にピンで連結するとともに、上記対向端部の他端側をしめしろ嵌合とし、このしめしろ力を鎖の他のリングの切断荷重および保護カバー破損荷重よりも小さく設定したことを特徴とする。
【０００６】
また、請求項２の発明は、上記２個の半円弧部分のしめしろ嵌合が、互いの嵌合対向面にそれぞれ形成された凹凸部の嵌合からなることを特徴とする。
【０００７】
【発明の実施の形態】
以下、この発明の具体的な実施の形態について図１に基づいて説明する。２は作業機（図示しない）側チューブで一方のフィッティングヨーク４内周面に基端部が固定され、３はトラクタ（図示しない）側チューブで他方のフィッティングヨーク５内周面に基端部が固定されている。このチューブ２とチューブ３とは、断面が非円形の筒形であり、チューブ３の内径にチューブ２が嵌脱自在に嵌入させて回転力を伝達するようにし、これによりプロペラシャフト１を構成している。また、上記チューブ２は十字軸６を介してスプラインヨーク８に連結され、図示しない作業機本体側部材に固定されている。同時に上記チューブ３は十字軸７を介してスプラインヨーク９に連結され、図示しないトラクタ本体側部材に固定されている。すなわち、フィッティングヨーク４，５、十字軸６，７及びスプラインヨーク８，９によりジョイント機構１０，１１が構成されており、上記プロペラシャフト１は上記ジョイント機構１０，１１を介してそれぞれ作業機側及びトラクタ側に連結されることになる。
【０００８】
さらに、上記一方のフィッティングヨーク４外周面には、上記プロペラシャフト１及びジョイント機構１０を覆う樹脂製保護カバー１２がすべり軸受１４を介して回転自在に設けられており、同様に上記他方のフィッティングヨーク５外周面には上記プロペラシャフト１及びジョイント機構１１を覆う樹脂製保護カバー１３がすべり軸受１５を介して回転自在に設けられている。これら両保護カバー１２，１３の端部は互いに軸方向摺動可能に嵌合されている。
【０００９】
上記保護カバー１２には鎖１６が止められる輪状突起部１８が一体的に設けられており、この輪状突起部１８に所定長さの鎖１６の一端部のリング１６ａが嵌合固定され、鎖１６の他端部のリング１６ｂにはフック２０が取り付けられ図示しない作業機側本体部に固定されている。同様に上記保護カバー１３にも鎖１６が止められる輪状突起部１９が一体的に設けられており、この輪状突起部１９に所定長さの鎖１６の一端部のリング１６ａが嵌合固定され、鎖の他端部のリング１６ｂにはフック２０が取り付けられ図示しないトラクタ側本体部に固定されている。
【００１０】
さらに、上記両樹脂製保護カバー１２，１３の輪状突起部１８，１９に嵌合固定された鎖１６のリング１６ａは、図２に示されるように、２個の半円弧部分１６０，１６１の対向により形成されている。そして、この２個の半円弧部分１６０，１６１の対向端部の一端側１６０ａ，１６１ａがリング円周方向に回転自在にピン１６２で連結されるとともに、上記対向端部の他端側１６０ｂ，１６１ｂがしめしろ嵌合とされ、このしめしろ力が鎖１６の他のリング１６ｂの切断荷重および樹脂製保護カバー１２，１３破損荷重よりも小さく設定されている。
【００１１】
また、上記リング１６ａのしめしろ嵌合は、例えば、２個の半円弧部分１６０，１６１の互いの嵌合対向面にそれぞれ形成された凹凸部１６３，１６４の嵌合による。すなわち、図３に示されるように、一方の半円弧部分１６０の嵌合面に凹部１６３が形成され他方の半円弧部分１６１の嵌合面の凸部１６４が嵌合され、他方の半円弧部分１６１の嵌合面に凹部１６３が形成され一方の半円弧部分１６０の嵌合面の凸部１６４が嵌合されている。そして、この凹凸１６３，１６４嵌合による合せ部高さａと凹部の半径ｂとの調整により、口開きが開始する荷重が調整される。
【００１２】
上記樹脂製保護カバー１２，１３に連結されるリング１６ａは上述の構成となっているため、樹脂製保護カバー１２，１３のすべり軸受１４，１５の回転不良発生時等に鎖１６に過大入力が万一伝達された場合、樹脂製保護カバー１２，１３の破損荷重および他の鎖１６のリング１６ｂの破損荷重よりも小さいしめしろ力で嵌合されたリング１６ａが開口して輪状突起部１８，１９から外れ、鎖１６が樹脂製保護カバー１２，１３とともに触れ回ることがない。そして、万一、上記リング１６ａが切断された場合、鎖１６の補修時には切断されたリング１６ａのみを交換すればよく、補修費低減につながる。
【００１３】
【発明の効果】
このように、請求項１および２の発明では、樹脂製保護カバーの回転不良発生時等に保護カバーの回転防止鎖に過大入力が万一伝達された場合、鎖の保護カバー取付け側端部のリング個所にて必ず切断するようにしたため、鎖が保護カバーと触れ回ることが防止される。
【図面の簡単な説明】
【図１】本発明における一実施形態のプロペラシャフトの保護カバー装置の断面図である。
【図２】（Ａ）は図１の保護カバー取付け側の鎖のリング平面図、（Ｂ）はリング側面図である。
【図３】図２のリングの嵌合状態図である。
【符号の説明】
１    プロペラシャフト
２    チューブ
３    チューブ
４    フィッティングヨーク
５    フィッティングヨーク
６    十字軸
７    十字軸
８    スプラインヨーク
９    スプラインヨーク
１０    ジョイント機構
１１    ジョイント機構
１２    樹脂製保護カバー
１３    樹脂製保護カバー
１４    すべり軸受
１５    すべり軸受
１６    鎖
１６ａ  保護カバー側の鎖のリング
１６０  半円弧部分
１６１  半円弧部分
１６２  ピン
１６３  凹部
１６４  凸部
１８    輪状突起部
１９    輪状突起部
２０    フック
【図１】
0003919064.tif 000002
【図２】
0003919064.tif 000003
【図３】
0003919064.tif 000004